(57)【要約】【課題】磁気カードのようにデータが消失することがなく、キー形状を読み取るような複雑なリーダが必要なく、ＩＣチップのようにリーダとの通信不安定を起こすことなく、多数の識別コードを使用し得るようにする。【解決手段】  バイナリデータで表される識別コードが記録された識別コード記録媒体（２）が、その識別コードを読み取るリーダ（３）に形成された挿込口（４）に挿入可能な記録担体（５）の表面に、少なくとも一つの共通接点（６）が形成されると共に、バイナリデータの「０」「１」に対応して当該共通接点（６）との間で導通状態が異なる複数の識別ポイント（７）を配列形成した。【選択図】図１
2015148077.tif 000002
【特許請求の範囲】
【請求項１】
バイナリデータで表される識別コードが記録された識別コード記録媒体であって、
その識別コードを読み取るリーダに形成された挿込口に挿入可能な記録担体の表面に、少なくとも一つの共通接点が形成されると共に、前記バイナリデータの「０」「１」に対応して当該共通接点との間で導通状態が異なる複数の識別ポイントが配列形成されたことを特徴とする識別コード記録媒体。
【請求項２】
前記識別ポイントが、共通接点に対して導通された導通接点と、共通接点との間で被導通状態に維持された絶縁ポイントからなる請求項１記載の識別コード記録媒体。
【請求項３】
前記識別ポイントが、共通接点に対して導通された導通接点と、所定の深さの凹部で形成された絶縁ポイントからなる請求項１記載の識別コード記録媒体。
【請求項４】
前記記録担体が円柱状のピンであり、当該ピンの周面に、前記共通接点及び識別ポイントが形成されると共に、位置決め用の突起又は凹溝が形成されてなる請求項１記載の識別コード記録媒体。
【請求項５】
前記記録担体が平板状のキーであり、当該キーの片面あるいは両面に、前記共通接点及び識別ポイントが形成された請求項１記載の識別コード記録媒体。
【請求項６】
前記記録媒体がカードであり、当該カードの片面あるいは両面に、前記共通接点及び識別ポイントが形成された請求項１記載の識別コード記録媒体。
【請求項７】
バイナリデータで表される識別コードが記録された識別コード記録媒体と、その識別コードを読み取るリーダからなる識別コード出力システムにおいて、
前記記録媒体は、前記リーダに形成された挿込口に挿入可能な記録担体の表面に、少なくとも一つの共通接点が形成されると共に、前記バイナリデータの「０」「１」に対応して当該共通接点との間で導通状態が異なる複数の識別ポイントが配列形成され、
前記リーダには、前記各識別ポイントと前記共通接点との間の導通状態を検出する検出器と、当該検出器の検出結果に応じて識別コードを出力する識別コード出力手段とを備えたことを特徴とする識別コード出力システム。
【請求項８】
前記リーダの挿込口の内部には、前記記録媒体に形成された前記共通接点に対応する位置に共通電極が配されると共に、それぞれの識別ポイントに対応する位置に検出電極が配され、前記共通電極と各検出電極との間には、前記検出器を介装した検出回路が個別に形成された請求項７記載の識別コード出力システム。
【請求項９】
バイナリデータで表される識別コードが記録された識別コード記録媒体と、その識別コードを読み取るリーダと、読み取られた識別コードを認証する認証手段を備えた識別コード認証システムにおいて、
前記記録媒体は、前記リーダに形成された挿込口に挿入可能な記録担体の表面に、少なくとも一つの共通接点が形成されると共に、前記バイナリデータの「０」「１」に対応して当該共通接点との間で導通状態が異なる複数の識別ポイントが配列形成され、
前記リーダは、前記各識別ポイントと前記共通接点との間の導通状態を検出する検出器と、当該検出器の検出結果に応じて識別コードを出力する識別コード出力手段とを備え、
前記認証手段は、認証し得る識別コードを予め登録したデータベースと、前記リーダで読み取られた識別コードをデータベースに登録された識別コードと照合する照合手段と、識別コードが認証されたときに認証データを出力する認証データ出力手段と、認証データが出力されたときに予め設定されたアクションを起こすドライバを備えたことを特徴とする別コード認証システム。
【請求項１０】
通信回線を介してサーバとクライアントが接続され、識別コード記録媒体に記録されたバイナリデータで表される識別コードが前記クライアントに設けられたリーダで読み取られたときに、その識別コードがサーバに送信されてデータベースと照合され、識別コードが認証された場合に認証データをクライアントに返信する識別コード認証システムにおいて、
前記記録媒体は、前記リーダに形成された挿込口に挿入可能な記録担体の表面に、少なくとも一つの共通接点が形成されると共に、前記バイナリデータの「０」「１」に対応して当該共通接点との間で導通状態が異なる複数の識別ポイントが配列形成され、
前記リーダは、前記各識別ポイントと前記共通接点との間の導通状態を検出する検出器と、当該検出器の検出結果に応じて識別コードを出力する識別コード出力手段とを備え、
前記クライアントは、前記リーダで読み取られた識別コードをサーバに送信すると共に、サーバから返信された前記認証データを受信するデータ通信手段と、前記認証データを受信したときに予め設定されたアクションを起こすドライバを備えたことを特徴とする識別コード認証システム。
【発明の詳細な説明】
【技術分野】
【０００１】
本発明は、個人や機器の認証を行うための識別コードが記録された識別コード記録媒体と、その記録媒体から読み取った識別コードを出力する識別コード出力システムと、出力されたその識別コードにより認証を行う識別コード認証システムに関する。
【背景技術】
【０００２】
例えば、マンションの入出管理は一般には各部屋の鍵で行っており、エントランス錠がどの部屋の鍵でも開錠可能な共通錠となっており、各居室の玄関錠が、その入居者のカギでしか開錠できない戸別鍵となっている。
【０００３】
しかし、マンションには、エントランスと各居室だけでなく、機械式駐車場、郵便ポストなど、鍵を使う設備が他にもあり、それぞれに別個の鍵が用意されているため、マンション居住者は常に多数のカギを携帯しなければならないという面倒がある。
この場合に、鍵などに識別コードを記録して個人認証を行い、開錠管理すれば、一つの鍵で複数の錠を開錠させることができるので、非常に便利である。
【０００４】
また、このような個人認証はマンションの入室管理だけではなく、様々な用途に応用され、例えば、ショッピングモールなどで、利用客に共通のサービスを提供すると共に、各店舗ごとに個別のサービスを提供する場合などにも用いることができる。
【０００５】
この場合に、スタンプカードなどを利用することも考えられるが、スタンプカードは紛失しやすく、その利用データを店舗側で管理することができない。また、利用客がスタンプカードを提示しなければ利用状況を把握することができず、きめ細かなサービスを提供することができない。
【０００６】
さらに、個人認証のみならず機器認証にも応用可能である。
例えば、ノートパソコン、タブレット型端末、携帯電話、デジタルカメラ、電気シェーバーなど充電池を備えた電子機器を複数所有している場合、それぞれの充電電力（電圧／電圧）はそれぞれ異なるため、電子機器ごとに充電器が必要となる。
【０００７】
このような場合に、充電電力可変の充電器があれば、充電器は一台で足りるが、各電子機器に供給すべき充電電力を認識できなければ、適正な充電を行うことができない。
そこで、充電用プラグなどを記録媒体として、必要な充電電力に対応した識別コードを記録しておき、これを充電器側で読み取ることができれば一台の充電器で足りることになる。
【０００８】
このような個人認証は機器認証に使用し得る識別コードの記録媒体として、従来より、識別コードを磁気記録した磁気カードや、端面を識別コードに対応した形状に形成し、その形状をデジタル的に読み取るようにしたキー（特許文献１）や、ＩＣチップを埋め込んだキー（特許文献２）や、複数の小さな棒状磁石を埋め込んで、各ＮＳ極を識別コードに対応させて配置した磁石キー（特許文献３）などが提案されている。
【０００９】
しかしながら、磁気カードは、磁場の強い場所に置くと磁気データが消失しやすく、キー形状をデジタル的に読み取る場合はそのリーダの構成が煩雑となる。
キーにＩＣチップを埋め込んだ場合、ＩＣチップに記録された識別コードはＩＣリーダとの間で無線通信技術により読み取られるが、この場合、ＩＣリーダとの通信が不安定に成りやすい。
さらに、磁石キーは、バイナリの「０」「１」に対応させてＮＳ極を配置するものであるが、磁石を配列するピッチがある程度大きくならざるを得ないので、使用できる識別コードの数に限りがある。
【先行技術文献】
【特許文献】
【００１０】
【特許文献１】特開平８−１４４５９２号公報
【特許文献２】特開２００７−３１５１４９号公報
【特許文献３】特開２００６−１２５１１８号公報
【発明の概要】
【発明が解決しようとする課題】
【００１１】
そこで本発明は、磁気カードのようにデータが消失することがなく、キー形状を読み取るような複雑なリーダが必要なく、ＩＣチップのようにリーダとの通信不安定を起こすことなく、さらに、多数の識別コードを使用し得るようにすることを技術的課題としている。
【課題を解決するための手段】
【００１２】
この課題を解決するために、本発明は、バイナリデータで表される識別コードが記録された識別コード記録媒体であって、その識別コードを読み取るリーダに形成された挿込口に挿入可能な記録担体の表面に、少なくとも一つの共通接点が形成されると共に、前記バイナリデータの「０」「１」に対応して当該共通接点との間で導通状態が異なる複数の識別ポイントが配列形成されたことを特徴とする。
【発明の効果】
【００１３】
本発明に係る識別コード記録媒体によれば、記録担体の表面に、共通接点に対して導通状態の異なる複数の識別ポイントが形成されており、導通状態が「導通」又は「絶縁」である場合に、識別ポイントが導通されているか否かによって、バイナリデータの「０」「１」を対応させることができる。
【００１４】
リーダの挿込口の内部に、識別ポイント及び共通接点に対応する位置に検出電極及び共通電極を配しておけば、記録媒体をリーダの挿込口に挿し込んだ状態で各識別ポイントの導通状態を検出できる。
【００１５】
このとき、各識別ポイントは共通接点に対して「導通」「非導通（絶縁）」が物理的に形成されているので、磁気カードのように磁気記録されたデータが消失することがない。
リーダは、識別ポイントの導通状態を検出する検出電極が、識別ポイントに対応する位置に１：１に配列されていれば足りるので、簡易な構造で足りる。
また、識別ポイントの導通状態は、検出電極が接触して検出できるので、リーダとの間で通信環境の安定／不安定が問題になることもない。
【００１６】
さらに、識別ポイントは、検出電極が１：１で接触し得るピッチで配列すれば足り、識別ポイントも検出電極も格別な機械的構造を必要としないので、小さい面積に多数の識別ポイントを形成することができる。
各識別ポイントは、例えば「導通」及び「非導通」の導通状態に対応させてバイナリの「０」及び「１」を表すことができるので、識別ポイントをマトリクス状に例えば４×８＝３２点形成すれば、理論的には、２３２＝４２億通り以上の識別コードを表すことができる。
【図面の簡単な説明】
【００１７】
【図１】本発明に係る識別コード出力システムの一例を示す説明図。
【図２】本発明に係る識別コード記録媒体の一例を示す一部切欠斜視図。
【図３】識別コード記録媒体の使用状態を示す断面図。
【図４】本発明に係る識別コード認証システムの一例を示す説明図。
【図５】識別コード認証システムの他の実施形態を示す説明図。
【図６】識別コード記録媒体の他の実施形態を示す斜視図。
【図７】その使用状態を示す断面図。
【図８】識別コード記録媒体のさらに他の実施形態を示す斜視図。
【図９】その使用状態を示す断面図。
【発明を実施するための形態】
【００１８】
本例では、簡単な構成で多数の識別コードを認証させることができ、記録した識別コードが消失しにくく、複雑なリーダを必要とせず、また、リーダとの通信不安定を起こすことなく識別コードの読み取りを行うという課題を解決するために、識別コードを読み取るリーダに形成された挿込口に挿入可能な記録担体の表面に、少なくとも一つの共通接点が形成されると共に、バイナリデータの「０」「１」に対応して当該共通接点との間で導通状態が異なる複数の識別ポイントを配列形成した。
【実施例１】
【００１９】
図１に示す識別コード出力システム１は、バイナリデータの「０」「１」で表される識別コードが記録された識別コード記録媒体２と、その識別コードを読み取るリーダ３からなる。
記録媒体２は、リーダ３に形成された挿込口４に挿入可能な記録担体５の表面に、少なくとも一つの共通接点６が形成されると共に、バイナリデータの「０」「１」に対応して当該共通接点６との間で導通状態が異なる複数の識別ポイント７が配列形成されている。
【００２０】
図２は本例の記録媒体２の要部を示し、本例では、記録担体５として直径３〜５ｍｍ程度の中実円柱状の金属ピンＰが用いられ、当該ピンＰの先端（表面）に共通接点６が形成されると共に、周面（表面）５ａに識別ポイント７が形成されており、リーダ３に形成された挿込口４の位置決め凹部８と対応して位置決め用の突起９が形成されている。
識別ポイント７は、ピンＰの軸方向に沿って所定間隔で所定列数形成され、例えば１列につき８箇所ずつ計４列形成されている場合、合計で３２個の識別ポイント７が形成される。
また本例では、識別ポイント７として、共通接点６に対して導通状態にある導通接点７ａと、共通接点６との間で絶縁状態（非導通状態）に維持された絶縁ポイント７ｂが配列形成されている。
【００２１】
各識別ポイント７は周面５ａに形成した有底円形孔１０に、導通プラグ１１ａ又は絶縁プラグ１１ｂが埋設されて形成される。
導通プラグ１１ａは、環状絶縁体１２の中空部に短円柱形状導電体１３が嵌め込まれており、前記円形孔１０に埋設したときに導通接点７ａとなる上端面が円形孔１０の底面１４と導通されるので、導通接点７ａと共通接点６は短絡されている。
絶縁プラグ１１ｂは、有底筒状絶縁体１５の中空部に短円柱形状導電体１３が嵌め込まれており、前記円形孔１０に埋設しても絶縁ポイント７ｂとなる上端面が円形孔１０の底面１４と絶縁されるので、絶縁ポイント７ｂは共通接点６に対して絶縁状態に維持されている。
【００２２】
リーダ３は、図１及び図３に示すように、各識別ポイント７と共通接点６との間の導通状態を検出する検出器２１と、当該検出器２１の検出結果に応じて識別コードを出力する識別コード出力手段２２を備えている。
挿込口４の内部には、記録媒体２に形成された共通接点６に対応する位置に共通電極２３が配されると共に、それぞれの識別ポイント７に対応する位置に検出電極２４が配され、各電極２３，２４はスプリング２５により、突出方向に付勢されている。
また、共通電極２３と各検出電極２４との間には、検出器２１を介装した検出回路２６が個別に形成され、当該各検出回路２６には電源２７により微弱電圧が印加されている。
【００２３】
これにより、記録媒体２を挿込口４に挿入したときに、共通電極２３が共通接点６に接触すると共に、各検出電極２４が識別ポイント７に接触され、識別ポイント７のうち導通接点７ａに検出電極２４が接触した検出回路２６は閉回路が形成されるので微弱電流が流れ、絶縁ポイント７ｂに検出電極２４が接触した検出回路２６は開いたままなので電流が流れない。
したがって、各検出回路２６に介装された検出器２１により、各検出回路２６毎に電流が流れているか否かを判別することができ、識別ポイント７と共通接点６との間の導通状態を極めて簡便な回路及び素子で検出することができる。
また、識別ポイント７に検出電極２４を接触させることにより検出するので、識別コード記録媒体２とリーダ３との間で通信状態の不安定を生ずることがない。
【００２４】
各検出器２１は、それぞれが識別コード出力手段２２に接続されており、識別コード出力手段２２では、それぞれの検出器２１から出力された信号によりバイナリデータの「０」「１」が判定され、その結果が予め設定されたアドレスＡ１〜Ａ３２に記録される。
本例では、図１に示すように、記録媒体２が挿込口４から抜かれているとき、すなわち、検出回路２６に流れる電流がいずれの検出器２１でも検出されないときは、デフォルト値として全アドレスＡ１〜Ａ３２にバイナリデータの「０」が記録されている。
【００２５】
次いで、図３に示すように、記録媒体２が挿込口４に挿し込まれ、検出回路２６に流れる電流が検出器２１で検出されると検出信号が出力され、識別コード出力手段２２の対応するアドレスにバイナリデータの「１」が記録される。
このとき、検出回路２６に流れる電流が検出されない検出器２１からは検出信号が出力されず、対応するアドレスのバイナリデータはデフォルト値の「０」に維持される。
【００２６】
これにより、全アドレスＡ１〜Ａ３２に「０」又は「１」が記録され、これが３２桁のバイナリデータで成る識別コードＩＤとして出力される。
したがって、理論的には、２３２＝４２億通り以上の識別コードを扱うことができ、識別ポイント７の数を増やせば、さらに多くの識別コードを取り扱うことができる。
【００２７】
なお、識別ポイント７の導通状態は、「導通」「絶縁」に限らず、「低抵抗」「高抵抗」であってもよい。高抵抗とする場合は、絶縁プラグ１１ｂに用いた有底筒状絶縁体１５に替えて、有底筒状高抵抗体を用いればよい。
さらに、絶縁ポイント７ｂは接点に限らず、図６で後述するように検出電極の突出高さより深い凹部としてもよい。
【実施例２】
【００２８】
図４は、このような識別コード出力システム１を用いた識別コード認証システム３１を示し、本例では、識別コードによりアクションを起こす機器ごとに認証を行う用途に適用し得る。なお、図１〜３と共通する部分は同一符号を付して、詳細説明を省略する。
【００２９】
本例の識別コード認証システム３１は、識別コードを認証してドア錠３０の開閉を行うシステムであって、前記識別コード記録媒体２と、その識別コードを読み取るリーダ３と、読み取られた識別コードを認証する認証手段３２を備えている。
認証手段３２は、認証し得る識別コードを予め登録したデータベース３３と、前記リーダ３で読み取られた識別コードをデータベース３３に登録された識別コードと照合する照合手段３４と、照合の結果、識別コードが一致したときに認証データを出力する認証データ出力手段３５がＩ／Ｏポート３６に接続されて成る。
【００３０】
また、認証データが出力されたときに予め設定されたアクションを起こすドライバ３７がＩ／Ｏポート３６に接続されている。
本例のドライバ３７は、シリンダ３８を進退させてドア錠３０の開錠／施錠を行う電磁ドライバである。
【００３１】
このドア錠３０を例えばマンションのエントランスドアに用いる場合、識別コード記録媒体２を居住者が所有する鍵Ｋとし、データベース３３には、開錠を許容する識別コードとして、全居住者や管理人など入退室が許可された者に提供される識別コード記録媒体２に記録された夫々の識別コードＩＤ１〜ＩＤｎを予め登録しておく。
【００３２】
居住者が各自の識別コード記録媒体２をリーダ３の挿込口４に挿入すると、その識別コードが、識別コード出力手段２２から認証手段３２に出力される。
リーダ３で読み取られた識別コードが認証手段３２に入力されると、まず、照合手段３４で、その識別コードがデータベース３３に登録された識別コードと一致するか照合され、一致したときはドライバ３７に対して認証データＡＤが出力される。
【００３３】
ドライバ３７では、認証手段２２から認証データＡＤが入力されたときに、シリンダ３８を退避させてドア錠３０の開錠するアクションを起こす。
これにより、居住者はエントランスドアを開けて入場することができ、ドアクローザ（図示せず）によりエントランスドアが閉じたときに再び施錠される。
【００３４】
なお、認証データによりアクションを起こすドライバ３７は、このような錠３０の開閉を行う場合に限らず、自動ドアの開閉制御を行う場合などシステムに応じて任意に選択し得る。
また、エントランスドアではなく、各戸の玄関ドアの錠に用いる場合は、データベースにその居住者の識別番号のみを登録しておけばよい。
【００３５】
さらに、このようなドアの開閉に係る識別コード認証のみならず、識別コード記録媒体２を充電器に接続される電子機器ごとに用意される充電コードの先端に充電器を接続する充電プラグに適用し、その充電プラグに当該電子機器の充電電力の電圧値／電流値に応じた識別コードを記録しておき、充電器側にその識別コードに応じて電圧／電流を調整して出力する電力調整ドライバを設けておけば、識別コードの認証により充電電力の設定を行うこともでき、この場合、充電器が一台で足りるというメリットがある。
【実施例３】
【００３６】
図５は、識別コード出力システム１を用いた他の識別コード認証システム４１を示す。
本例では、識別コードによりアクションを起こす機器ごとに認証手段を備えるのではなく、それぞれの機器と認証手段を通信回線で接続し、一つの認証手段で複数の機器について認証を行うシステムである。なお、図１〜３と共通する部分は同一符号を付して、詳細説明を省略する。
【００３７】
本例では、通信回線４２を介してサーバＳとクライアントＣ１〜Ｃｎが接続され、識別コード記録媒体２に記録されたバイナリデータの「０」「１」で表される識別コードＩＤがクライアントＣ１〜Ｃｎに設けられたリーダ３で読み取られたときに、その識別コードＩＤがサーバＳに送信されてデータベース４３と照合され、識別コードが認証された場合に認証データＡＤをクライアントＣ１〜Ｃｎに返信するようになっている。
【００３８】
識別コード記録媒体２とリーダ３の構成は、実施例１で説明したものと同様である（図１、図３参照）。
すなわち、識別コード記録媒体２は、リーダ３に形成された挿込口４に挿入可能な記録担体５の表面に、少なくとも一つの共通接点６が形成されると共に、バイナリデータの「０」「１」に対応して共通接点６との間で導通状態が異なる複数の識別ポイント７が配列形成されている。
また、リーダ３は、識別ポイント７と共通接点６との間の導通状態を検出する検出器２１と、当該検出器２１の検出結果に応じて識別コードを出力する識別コード出力手段２２とを備えている。
【００３９】
クライアントＣ１〜Ｃｎは、リーダ３で読み取られた識別コードＩＤと各クライアント固有のクライアント番号ＣＤを含む認証要求データＲＤをサーバＳに送信すると共に、サーバＳから返信された認証データＡＤを受信するデータ通信手段４３と、認証データＡＤを受信したときに予め設定されたアクションを起こすドライバ４４を備えている。
【００４０】
サーバＳは、クライアントＣ1〜Ｃｎとの間でデータ通信を行うデータ通信手段４５と、と、識別コードＩＤごとに開錠が許容されるクライアント番号ＣＤを登録したデータベース４６と、クライアントＣ1〜Ｃｎから送信された認証要求データＲＤに記録されている識別コードＩＤとクライアント番号ＣＮが登録されたデータと一致するか否かを判定する照合手段４７と、照合されたときに、クライアント番号ＣＤに対応するクライアントＣ1〜Ｃｎに対し認証データＡＤを送信する認証手段４８とを備えている。
【００４１】
この識別コード認証システム４１を用いて、マンション全体の開錠管理を行う場合を想定すると、例えば、クライアントＣ１〜Ｃｎは、共用施設となるエントランスドア、集会室のドア、各部屋の玄関ドア、機械式駐車場の電源キー、ポストの受取口のカギなどが考えられる。
【００４２】
データベース４４には、図５に示すように、例えば、１レコードに［部屋番号］［各居住者名］［駐車場区画］［ポスト番号］［識別コードＩＤ］［クライアントごとの開錠許可データ］が記録されている。
【００４３】
例えば 部屋番号３０１の居住者が、自分の駐車場ＰＫ１を操作しようとして、操作パネル（クライアントＣ21）に取り付けられたリーダ（電源キー）３に、識別コード記録媒体２を挿し込むと、その識別コードＩＤ03が読み取られ、識別コードＩＤ03とクライアントＣ21に固有のクライアントコードＣＤ21を含む認証要求データＲＤが通信回線４２を介してサーバＳに送られる。
【００４４】
サーバーＳでは、認証要求データＲＤに含まれる識別コードＩＤ03と、クライアントコードＣＤ21を読み出し、データベース４６を参照して、識別コードＩＤ03がクライアントコードＣ21の開錠許可を持っているか照合する。
ここでは、識別コードＩＤ03のレコードに、クライアントコードＣＤ21の開錠許可データとして「１（許可）」又は「０（不許可）」のいずれが記録されているか照合され、「１」が記録されている場合に開錠許可ありと判断されて、認証手段４８から認証データＡＤが駐車場ＰＫ１の操作パネル（クライアントＣ21）に送られて、ドライバ４４により電源スイッチ（図示せず）がオンされ、これにより駐車場ＰＫ１が操作可能となる。
【００４５】
なお、本例の識別コード認証システム４１は、このようなマンション全体の開錠管理だけでなく、特定の役職者のみが入室許可される部屋のあるビルにおける入退室管理を行う場合にも適用し得る。
また、ショッピングモールなどで各テナントごとに利用客に対するサービスポイントの付与などを行う場合は、クライアントとなる各テナントのレジにリーダ３を接続し、データベース４６の各識別番号ＩＤのレコードに各テナント別の利用履歴欄を設け、清算時のデータを自動的にそのテナントの利用履歴に追加記録するようにすればよい。
【実施例４】
【００４６】
図６及び図７は識別コード記録媒体の他の例を示す説明図である。なお、図１及び３と共通する部分は同一符号を付して詳細説明を省略する。
識別コード記録媒体５１は、記録担体５として金属製の平板キー５２が用いられ、リーダ５３は、平板キー５２が挿入される挿込口５４が形成されている。
リーダ５３の挿込口５４の内部には、図７に示すように、平板キー５２の表裏両面に対向してスプリング５５により所定の突出高さに付勢された検出電極５６が片面側に８個×２列、両面で合計３２個配されると共に、検出電極５６のない部分で、平板キー５２に接触する共通電極５７が配されている。
【００４７】
平板キー５２の表裏両面には、前記検出電極５６に対向する位置に、識別コードとなる３２桁のバイナリデータの「０」「１」に対応して識別ポイント７が形成されている。
識別ポイント７は、平板キー５２が挿込口５４に挿入されたときに、検出電極５６と共通電極５７の間を短絡する導通接点７ａと、検出電極５６と共通電極５７の間を絶縁状態に維持する絶縁ポイント７ｂからなる。
また、共通電極５７と対応する位置が共通接点６に形成されている。
なお、平板キー５２の片面端縁に沿ってキー溝５８が形成され、挿込口５４に形成された突条（図示せず）に係合されて表裏挿込方向が規制されるようになっている。
【００４８】
導通接点７ａ及び共通接点６は、平板キー５２と面一になるように形成されているので、挿込口５４に挿入されたときに、検出電極５６及び共通電極５７を押し込んでこれらと確実に接触され、検出電極５６と共通電極５７の間が短絡される。
また、絶縁ポイント７ｂは、検出電極５６の突出高さよりも深い凹部で形成されているので、挿込口５４に挿入されたときに、平板キー５２に向かって突出する検出電極５６と接触されることがなく、検出電極５６と共通電極５７の間が絶縁状態に維持される。
【００４９】
したがって、この導通接点７ａと絶縁ポイント７ｂの導通状態に応じて、実施例１と同様、識別コードとなるバイナリデータを読み取ることができ、片面に１０個×２列の識別ポイント７を形成すれば、両面で４０個の識別ポイントを形成できるので、この場合は、２４０＝約１京通り以上の識別コードを設定し得る。
【実施例５】
【００５０】
図８及び図９は識別コード記録媒体の他の例を示す説明図である。なお、図１及び３と共通する部分は同一符号を付して詳細説明を省略する。
本例の識別コード記録媒体６１は、記録担体５としてクレジットカードサイズのカード６２が用いられている。
カード６２は、共通接点６及び識別ポイント７が形成された接点レイヤー６３と、各識別ポイント７のうち導通接点７ａと共通接点６とを導通させる配線６４が形成されたプリント基板６５が積層されて形成されている。
【００５１】
接点レイヤー６３には、絶縁性基材６３Ａに６個ずつ４列の合計２４個の識別ポイント７が形成されており、導通接点７ａとなる識別ポイント７は導体６７が表裏両面に貫通して配され、絶縁ポイント７ｂとなる識別ポイント７は、導体が裏まで貫通しないように埋設されており、一見しただけでは、どれが導通接点７ａでどれが絶縁ポイント７ｂかわからないようになっている。
また、矢印状の共通接点６も導通接点７ａ同様に、導体６７が表裏両面に貫通して配されている。
【００５２】
プリント基板６５はその表面に、識別ポイント７の列に沿って４列の配線６４が形成され、それぞれが共通接点６の底面に接触するランド６８に接続されている。
これにより、プリント基板６５の上に接点レイヤー６３を載せて一体に積層すれば、導通接点７ａはその底面側でプリント基板６５の配線６４を介して共通接点６と導通され、絶縁ポイント７ｂはプリント基板６５の配線６４とは接触しないので、共通接点６に対して絶縁状態に維持される。
【００５３】
したがって、図９に示すように、このカード６２をリーダ７１の挿込口７２に挿入すると、識別ポイント７の全てが検出電極７３をスプリング７４の弾発力に抗して押込み、互いに接触されることになる。
ここで、識別ポイント７のうち、導通接点７ａに接触された検出電極７３は、カード６２を介して共通接点６に接触された共通電極７５と短絡されるので、検出回路２６に電流が流れる。
【００５４】
このとき、絶縁ポイント７ｂは共通接点６に対して絶縁されているので、絶縁ポイント７ｂに接触された検出電極７３と、共通接点６に接触された共通電極７５とは短絡されないので、検出回路２６に電流が流れることがない。
したがって、この導通接点７ａと絶縁ポイント７ｂの導通状態に応じて、検出回路２６に流れる電流を検出器２１で検出することができ、実施例１と同様に、識別コードとなるバイナリデータを読み取ることができる。
【００５５】
本例の場合、２４個の識別ポイントがあるので、理論上２２４＝１６００万通り以上の識別コードを扱うことができる。
なお、カード６２は面積が広いので、より多くの識別ポイント７を形成することができるだけでなく、三層構造とすれば表裏両面にも形成することができ、例えば、片面に１０×８のマトリクス状に識別ポイント７を形成すれば、両面で１６０個の識別ポイントを形成することができ、この場合、２１６０＝１.４×１０４８通りを超える実質上無限の数の識別コードを表すことができる。
【産業上の利用可能性】
【００５６】
本発明は、個人や機器を特定する識別コードに基づき、その認証を行う識別コード認証システムに適用できる。
【符号の説明】
【００５７】
１    識別コード出力システム
２    識別コード記録媒体
３    リーダ
４    挿込口
５    記録担体
Ｐ    ピン
５ａ  周面（表面）
６    共通接点
７    識別ポイント
７ａ  導通接点
７ｂ  絶縁ポイント
２１  検出器
２２  識別コード出力手段
２３  共通電極
２４  検出電極
３１  識別コード認証システム
３２  認証手段
３３  データベース
３４  照合手段
３５  認証データ出力手段
３７  ドライバ
４１  識別コード認証システム
４２  通信回線
Ｓ    サーバ
Ｃ１〜Ｃｎ  クライアント
４３  データ通信手段
４４  ドライバ
４５  データ通信手段
４６  データベース
４７  照合手段
４８  認証手段
【図１】
2015148077.tif 000003
【図２】
2015148077.tif 000004
【図３】
2015148077.tif 000005
【図４】
2015148077.tif 000006
【図５】
2015148077.tif 000007
【図６】
2015148077.tif 000008
【図７】
2015148077.tif 000009
【図８】
2015148077.tif 000010
【図９】
2015148077.tif 000011